(57)【要約】【課題】部品の締結工程を削減して、製造コストを抑制できるロック機構を備えたストラップ巻取装置を提供する。【解決手段】ランヤードのストラップ２を巻き取る巻取ドラム１１がブラケット２１により回動自在に支持され、巻取ドラム１１の回転に伴い発生する遠心力で巻取ドラム１１側のロック爪１５が外方向へ揺動し、ロック爪１５の先端部とブラケット２１側の係合部とが係合して、ストラップ２の繰り出しがロックされる遠心カム式のロック機構を有する安全帯のストラップ巻取装置において、ブラケット２１には、遠心力で外方向へ揺動した状態のロック爪１５の先端の回転軌跡Ｒより内径側の範囲に位置するように、ロック爪１５の先端部との係合部となる段差部２１ｄが設けられているものとする。【選択図】図３
2019076371.tif 000002
【特許請求の範囲】
【請求項１】
ランヤードのストラップ(2)を巻き取る巻取ドラム(11)がブラケット(21)により回動自在に支持され、前記巻取ドラム(11)の回転に伴い発生する遠心力で前記巻取ドラム(11)側のロック爪(15)が外方向へ揺動し、前記ロック爪(15)の先端部と前記ブラケット(21)側の係合部とが係合して、前記ストラップ(2)の繰り出しがロックされる遠心カム式のロック機構を有する安全帯のストラップ巻取装置において、
前記ブラケット(21)には、遠心力で外方向へ揺動した状態の前記ロック爪(15)の先端の回転軌跡(R)より内径側の範囲に位置するように、前記ロック爪(15)の先端部との係合部となる段差部(21d)が設けられていることを特徴とする安全帯のストラップ巻取装置。
【請求項２】
前記ブラケット(21)は、金属製の板材から成り、その折り曲げにより前記段差部(21d)が形成されていることを特徴とする請求項１に記載の安全帯のストラップ巻取装置。
【請求項３】
前記段差部(21d)は、前記ブラケット(21)の前記ロック爪(15)が収まる空間を形成する部分と、前記巻取ドラム(11)の側面に沿う部分との間に形成されていることを特徴とする請求項１又は２に記載の安全帯のストラップ巻取装置。
【発明の詳細な説明】
【技術分野】
【０００１】
この発明は、高所作業時に作業員が墜落阻止のために装着する安全帯用のストラップ巻取装置であって、遠心カム式のロック構造を有するものに関する。
【背景技術】
【０００２】
建設現場等の高所で作業を行う作業員が装着する安全帯には、ランヤードのストラップを巻き取るストラップ巻取装置が取り付けられることがある。このストラップ巻取装置として、ストラップの先端のフックを作業場所の構造物に係止した状態で、作業員が誤って落下し、ストラップが急速に繰り出され始めたとき、ストラップの繰り出しが直ちにロックされ、落下距離を最小限に抑えられるロック機構付きのものが知られている。
【０００３】
このロック機構には、巻取ドラムがブラケット等の固定部材に回動自在に支持され、巻取ドラムの回転に伴い発生する遠心力で巻取ドラム側に設けられたロック爪が外方向へ揺動し、ロック爪の先端部と固定部材側の止め板に形成された係合部とが係合して、ストラップの繰り出しがロックされる遠心カム式のものがある（下記特許文献1参照）。
【０００４】
また、ドラム支持枠等の固定部材側にロック爪がシーソー状に揺動自在に設けられ、巻取ドラムの回転に伴い、ロック爪の一端部を巻取ドラム側の爪車の歯状に突出した係合部が打撃し、ロック爪の他端部がばねの付勢力で復帰する前に係合部に係合して、ストラップの繰り出しがロックされる打撃式のものもある（下記特許文献２参照）。
【先行技術文献】
【特許文献】
【０００５】
【特許文献１】登録実用新案第３００８６５６号公報
【特許文献２】特開２０１１−１４９２４７号公報
【発明の概要】
【発明が解決しようとする課題】
【０００６】
しかしながら、上記いずれのロック機構においても、ロック爪と係合する止め板や爪車を他の構造部材に固定するために、複数の固定ピンをかしめる工程が発生し、結果としてストラップ巻取装置の製造コストが嵩む傾向にあった。
【０００７】
そこで、この発明は、部品の締結工程を削減して、製造コストを抑制できるロック機構を備えたストラップ巻取装置を提供しようとするものである。
【課題を解決するための手段】
【０００８】
上記課題を解決するため、この発明は、ランヤードのストラップを巻き取る巻取ドラムがブラケットにより回動自在に支持され、前記巻取ドラムの回転に伴い発生する遠心力で前記巻取ドラム側のロック爪が外方向へ揺動し、前記ロック爪の先端部と前記ブラケット側の係合部とが係合して、前記ストラップの繰り出しがロックされる遠心カム式のロック機構を有する安全帯のストラップ巻取装置において、
前記ブラケットには、遠心力で外方向へ揺動した状態の前記ロック爪の先端の回転軌跡より内径側の範囲に位置するように、前記ロック爪の先端部との係合部となる段差部が設けられているものとしたのである。
【０００９】
また、前記ブラケットは、金属製の板材から成り、その折り曲げにより前記段差部が形成されているものとしたのである。
【００１０】
また、前記段差部は、前記ブラケットの前記ロック爪が収まる空間を形成する部分と前記巻取ドラムの側面に沿う部分との間に形成されているものとしたのである。
【発明の効果】
【００１１】
この発明に係る遠心カム式のロック機構を備えたストラップ巻取装置では、巻取ドラムを回動自在に支持するブラケットに形成した段差部を、巻取ドラムの回転に伴い遠心力で外方向へ揺動したロック爪の先端部が係合する係合部として利用するので、別途部品を締結する工程を削減でき、製造コストを抑制できる。
【図面の簡単な説明】
【００１２】
【図１】この発明に係るストラップ巻取装置を備えたランヤード全体を示す正面図
【図２】同上のストラップ巻取装置の（２Ａ）ケースの内部を表す正面図、（２Ｂ）縦断側面図
【図３】同上のロック機構のロック爪に遠心力が作用した状態における（３Ａ）ロック前の概略正面図、（３Ｂ）ロック時の概略正面図
【図４】同上のロック機構の分解斜視図
【発明を実施するための形態】
【００１３】
以下、この発明の実施形態を添付図面に基づいて説明する。
【００１４】
図１に示すように、この発明に係るロック機構を備えたストラップ巻取装置１は、ドラム軸１０を中心として、アラミド繊維等の高強度繊維を用いたストラップ２を巻き取るための巻取ドラム１１がブラケット２１により回動自在に支持され、巻取ドラム１１とブラケット２１がケース３１に内蔵されたものとなっている。
【００１５】
ストラップ巻取装置１には、ストラップ２の繰出し方向と反対側に、安全帯に連結するための連結金具３が取り付けられ、ストラップ２の先端側には、ショックアブソーバ４を介しフック５が取り付けられて、ランヤードを構成している。
【００１６】
図２乃至図４に示すように、巻取ドラム１１は、巻芯の両側のフランジ１２ｂ，１３間にストラップ２を巻き取るものであり、巻取ドラム１１の一側のフランジ１３の外面に、ドラム軸１０の近傍に位置する爪軸１４を中心としてロック爪１５が内外方向へ揺動自在に設けられ、ロック爪１５は、爪ばね１６により内方向へ付勢されている。
【００１７】
ブラケット２１は、機械構造用炭素鋼等の金属製の板材をプレス加工により折り曲げて形成され、一対の側板部２１ａ，２１ｂが連結部２１ｃを介して連なった二股状の形状とされている。
【００１８】
一方の側板部２１ａには、巻取ドラム１１のフランジ１３から離れてロック爪１５が収まる空間を形成する部分と、フランジ１３に沿うように接近してケース３１の内側突出部に固定される部分との間に段差部２１ｄが設けられている。
【００１９】
段差部２１ｄは、ストラップ２が巻取ドラム１１からゆっくりと繰り出されている状態では、ロック爪１５の先端部が干渉しない部分に位置している（図２（２Ａ）参照）。
【００２０】
一方、ストラップ２が巻取ドラム１１から急速に繰り出されて、巻取ドラム１１が高速で回転し、ロック爪１５が遠心力で外方向へ揺動したときには、ロック爪１５の先端部が段差部２１ｄに係合するように、段差部２１ｄは、ロック爪１５の先端の回転軌跡Ｒより内径側の範囲に位置している（図３（３Ａ）参照）。
【００２１】
巻取ドラム１１の他側のフランジ１２ｂの外側には、巻取ドラム１１にストラップ２が巻き取られる方向の回転力を付与するためのゼンマイばねが内蔵されたばねケース１８が設けられている。
【００２２】
なお、巻取ドラム１１を軸支するドラム軸１０は、ブラケット２１の一対の側板部２１ａ，２１ｂにそれぞれ形成された軸穴２１ｅ，２１ｆに挿通することにより、ブラケット２１に係止されている（図４参照）。
【００２３】
また、ケース３１は、表カバーと裏カバーに２分割され、図示省略したねじの締め付けにより、表カバーと裏カバーが結合一体化されている（図２（２Ｂ）参照）。
【００２４】
上記のようなストラップ巻取装置１を備えた図１に示すようなランヤードを使用して高所作業を行う場合には、作業員が装着した安全帯に連結金具３を連結し、フック５を作業場所の構造物に係止する。
【００２５】
このような状態で作業者が誤って高所から落下すると、ストラップ２が巻取ドラム１１から急速に繰り出され始め、巻取ドラム１１が高速で回転する。
【００２６】
そして、図３（３Ａ）に示すように、巻取ドラム１１の回転に伴い発生する遠心力により、ロック爪１５が爪ばね１６の引張力に抗して外方向へ揺動し、ロック爪１５の末端側がドラム軸１０に当接した状態で、ロック爪１５の先端が回転軌跡Ｒ上を回転する。
【００２７】
その後、図３（３Ｂ）に示すように、ロック爪１５の先端部とブラケット２１の段差部２１ｄとが係合すると、巻取ドラム１１の回転が停止し、ストラップ２の繰り出しがロックされるので、作業員の落下距離が最小限に抑えられる。
【００２８】
上記のような遠心カム式のロック機構を有するストラップ巻取装置１では、巻取ドラム１１を回動自在に支持するブラケット２１に形成した段差部２１ｄを、巻取ドラム１１の回転に伴い遠心力で外方向へ揺動したロック爪１５の先端部が係合する係合部として利用するので、従来のストラップ巻取装置のように、ブラケット２１に別途部品を締結する工程が不要となり、製造コストを抑制できる。
【００２９】
なお、このストラップ巻取装置１は、作業者の両肩から両腿へ巻き掛けられるハーネス型安全帯への連結用のランヤード（図１参照）のほか、連結金具３等を適宜変更して、作業者の胴にのみ巻き付けられる胴ベルト用のランヤードにも適用することができる。
【符号の説明】
【００３０】
１  ストラップ巻取装置
２  ストラップ
３  連結金具
４  ショックアブソーバ
５  フック
１０  ドラム軸
１１  巻取ドラム
１２ｂ，１３  フランジ
１４  爪軸
１５  ロック爪
１６  爪ばね
１８  ばねケース
２１  ブラケット
２１ａ，２１ｂ  側板部
２１ｅ，２１ｆ  軸穴
２１ｃ  連結部
２１ｄ  段差部
３１  ケース
Ｒ  回転軌跡
【図１】
2019076371.tif 000003
【図２】
2019076371.tif 000004
【図３】
2019076371.tif 000005
【図４】
2019076371.tif 000006